(57)【特許請求の範囲】
【請求項１】
無線により無線通信端末と通信する第一インタフェース部と、
前記第一インタフェース部とは異なる通信方式によって前記無線通信端末と通信する第二インタフェース部と、
前記無線通信端末が前記第一インタフェース部との通信に用いる接続設定情報を記憶する記憶部と、
前記無線通信端末に前記接続設定情報の設定を実行する契機を検出する検出部と、
前記検出部により前記契機が検出された場合に、前記接続設定情報を前記第二インタフェース部から前記無線通信端末に送信する設定部と、
を備えることを特徴とする無線通信装置であって、
前記無線通信端末が属するネットワークとは異なるネットワークを介して通信する第三インタフェース部をさらに備え、
前記検出部は、前記第三インタフェース部が前記異なるネットワークに接続される装置から指示を受信したことを前記契機として検出する、
ことを特徴とする無線通信装置。
【発明の詳細な説明】
【技術分野】
【０００１】
本発明は、無線通信装置に関する。
【背景技術】
【０００２】
スマートフォンなどの無線通信端末を無線によりホームネットワークに接続するためには、無線通信端末に、ホームネットワークにおいて無線通信装置として用いられるホームゲートウェイとの無線通信に必要な設定を行う必要がある。無線通信端末にホームゲートウェイとの無線通信に必要な設定を行う従来の方法として、ＰＣ（パーソナルコンピュータ）用の専用ソフトウェアを用いる方法があった。具体的には、ホームゲートウェイと接続したＰＣに、（マイクロ）ＵＳＢ（Universal Serial Bus）によりスマートフォンを接続する。ＰＣの専用ソフトウェアは、ユーザによるＰＣの操作、あるいは、ＰＣに遠隔接続されるオペレータの端末からの指示に基づいて、無線通信用の設定ファイルをホームゲートウェイから読み出してコマンドに変換し、スマートフォンに送信する。スマートフォンは、コマンドに従って無線通信用の設定を行う。また、無線通信端末にホームゲートウェイとの無線通信に必要な設定を行う他の方法として、無線通信端末がホームゲートウェイの発した電波を受信し、この受信した電波から設定情報を取得するとともに、ユーザの操作によりさらに設定情報を無線通信端末に入力する方法もあった。
【０００３】
一方、無線通信端末に対して、無線通信のために用いるパラメータの設定を自動で行う技術もある（例えば、特許文献１、２参照）。
【先行技術文献】
【特許文献】
【０００４】
【特許文献１】特開２０１３−２４７４００号公報
【特許文献２】特許第５４５３０８１号公報
【発明の概要】
【発明が解決しようとする課題】
【０００５】
従来のように、無線通信端末にＰＣを用いて無線通信用の設定を行う場合、ＰＣに専用ソフトウェアを実装する必要があり、手順が煩雑であった。また、ユーザが無線通信端末に設定情報を入力する場合においても、設定の手順がわからない、手順どおり実施したがうまく接続ができない、などのトラブルが生じることも少なくなかった。特許文献１、２の技術の場合、無線通信端末にパラメータの設定を自動で行うためには、無線通信端末と無線通信装置とが無線により初期接続できるようにしなければならない。しかし、初期接続できるようになるまでの画面遷移や、設定を行うプロセスも複雑であり、ユーザにとっては困難な場合が多い。
【０００６】
上記事情に鑑み、本発明は、無線通信端末に無線通信のための設定を容易に行うことができる無線通信装置を提供することを目的としている。
【課題を解決するための手段】
【０００７】
本発明の一態様は、無線により無線通信端末と通信する第一インタフェース部と、前記第一インタフェース部とは異なる通信方式によって前記無線通信端末と通信する第二インタフェース部と、前記無線通信端末が前記第一インタフェース部との通信に用いる接続設定情報を記憶する記憶部と、前記無線通信端末に前記接続設定情報の設定を実行する契機を検出する検出部と、前記検出部により前記契機が検出された場合に、前記接続設定情報を前記第二インタフェース部から前記無線通信端末に送信する設定部と、を備えることを特徴とする無線通信装置である。
【０００８】
また、本発明の一態様は、上述の無線通信装置であって、前記第二インタフェース部は、前記無線通信端末と有線により通信する、ことを特徴とする。
【０００９】
また、本発明の一態様は、上述の無線通信装置であって、前記第二インタフェース部は、ユニバーサルシリアルバス、ローカルエリアネットワークケーブル、または、高精細度マルチメディアインターフェースケーブルにより前記無線通信端末と通信する、ことを特徴とする。
【００１０】
また、本発明の一態様は、上述の無線通信装置であって、ユーザからの指示を入力する入力部をさらに備え、前記検出部は、前記入力部に設定実行の指示が入力されたことを前記契機として検出する、ことを特徴とする。
【００１１】
また、本発明の一態様は、上述の無線通信装置であって、前記無線通信端末が属するネットワークとは異なるネットワークを介して通信する第三インタフェース部をさらに備え、前記検出部は、前記第三インタフェース部が前記異なるネットワークに接続される装置から指示を受信したことを前記契機として検出する、ことを特徴とする。
【００１２】
また、本発明の一態様は、上述の無線通信装置であって、前記記憶部は、前記接続設定情報の書込み先の情報をさらに記憶し、前記設定部は、前記記憶部から読み出した前記書込み先の情報をさらに前記第二インタフェース部から前記無線通信端末に送信する、ことを特徴とする。
【００１３】
本発明の一態様は、無線により無線通信端末と通信する第一インタフェース部と、前記第一インタフェース部とは異なる通信方式によって前記無線通信端末と通信する第二インタフェース部を備える無線通信装置に用いられる接続設定方法であって、前記無線通信端末が前記第一インタフェース部との通信に用いる接続設定情報を記憶する記憶部と、検出部が、前記無線通信端末に前記接続設定情報の設定を実行する契機を検出する検出過程と、設定部が、前記検出過程において前記契機が検出された場合に、記憶部から前記無線通信端末が前記第一インタフェース部との通信に用いる接続設定情報を読み出し、読み出した前記接続設定情報を前記第二インタフェース部から前記無線通信端末に送信する設定過程と、を有することを特徴とする接続設定方法である。
【発明の効果】
【００１４】
本発明により、無線通信端末に無線通信のための設定を容易に行うことが可能となる。
【図面の簡単な説明】
【００１５】
【図１】本発明の一実施形態による通信システムの構成を示す機能ブロック図である。
【図２】同実施形態によるＨＧＷ（ホームゲートウェイ）の構成を示す機能ブロック図である。
【図３】同実施形態による無線通信端末の構成を示す機能ブロック図である。
【図４】同実施形態による通信システムにおける無線通信端末への接続設定情報の設定処理を示すシーケンス図である。
【発明を実施するための形態】
【００１６】
以下、図面を参照しながら本発明の実施形態を詳細に説明する。
図１は、本発明の一実施形態による通信システムの接続構成図である。
ユーザ宅には、ホームゲートウェイ（ＨＧＷ）１と、光ファイバー終端装置（ＯＮＵ）２とが設置される。
ＨＧＷ１は、無線通信装置の一例であり、ホームネットワークに接続されるユーザの通信機器と通信する。ユーザの通信機器には、例えば、スマートフォン、タブレット端末などの無線通信端末３があり、無線によりホームネットワークに接続する。なお、ユーザの通信機器には、有線によりホームネットワークに接続されるものがあってもよい。同図では、無線通信端末３以外のユーザの通信機器の図示を省略している。ＨＧＷ１は、ホームネットワークにより接続されるユーザの通信機器から、通信網４に接続される装置宛てに送信されたデータを、ＯＮＵ２を介して通信網４側に中継する。また、ＨＧＷ１は、通信網４に接続される装置からＯＮＵ２を介して受信したデータを、そのデータの宛先のユーザの通信機器に中継する。
ＯＮＵ２は、通信網４と光ファイバーにより接続され、ＨＧＷ１とＬＡＮ（ローカルエリアネットワーク、Local Area Network）ケーブルなどにより接続される。ＯＮＵ２は、光ファイバーにより送受信する光信号とＬＡＮにより送受信する電気信号の相互変換を行う。
通信網４は、ユーザの通信機器が属するホームネットワークとは異なる外部ネットワークであり、例えば、インターネットなどのＩＰ（Internet Protocol）ネットワークである。通信網４には、遠隔サポートセンターの遠隔操作端末５が接続される。
なお、同図においては、ユーザ宅を１つのみ示しているが、現実には複数存在する。また、ユーザ宅には、無線通信端末３が複数存在し得る。また、通信網４に複数の遠隔操作端末５が接続され得る。
【００１７】
図２は、ＨＧＷ１の構成を示す機能ブロック図であり、本実施形態と関係する機能ブロックのみを抽出して示してある。同図に示すように、ＨＧＷ１は、第一インタフェース部１１と、第二インタフェース部１２と、第三インタフェース部１３と、中継部１４と、記憶部１５と、入力部１６と、検出部１７と、設定部１８とを備えて構成される。
【００１８】
第一インタフェース部１１は、無線ＬＡＮなどの無線通信方式によりユーザの通信機器と通信する。
第二インタフェース部１２は、第一インタフェース部１１とは異なる通信方式により、ユーザの通信機器と通信する。例えば、第二インタフェース部１２は、ＵＳＢ（ユニバーサルシリアルバス、Universal Serial Bus）接続や、ＬＡＮケーブル、ＨＤＭＩ（登録商標）（高精細度マルチメディアインターフェース、High-Definition Multimedia Interface）ケーブルを用いた接続などの有線接続によりユーザの通信機器と通信する。なお、第二インタフェース部１２は、第一インタフェース部１１とは異なる無線通信方式によりユーザの通信機器と通信してもよい。
第三インタフェース部１３は、通信網４との通信に用いられるプロトコルを用いて、ＬＡＮなどによりＯＮＵ２と通信する。
【００１９】
中継部１４は、第一インタフェース部１１においてユーザの通信機器から受信したデータが、通信網４に接続される装置宛てである場合、そのデータを第三インタフェース部１３に中継し、送信を指示する。また、中継部１４は、第三インタフェース部１３が通信網４に接続される装置から受信したユーザの通信機器宛てのデータを第一インタフェース部１１に中継し、送信を指示する。
【００２０】
記憶部１５は、無線通信端末３が第一インタフェース部１１との無線通信に用いる接続設定情報と、接続設定情報の書込み先を示す書込み先情報とを記憶する。書込み先は、例えば、パス（ディレクトリ）名により示される。接続設定情報は、例えば、無線ＬＡＮの場合、ＳＳＩＤ（Service Set Identifier）やパスワードなどの情報を含む。
入力部１６は、ユーザ操作の入力を受ける入力装置である。入力部１６は、例えば、ボタンでもよく、操作画面を表示するタッチパネルであってもよい。
検出部１７は、無線通信端末３に接続設定情報の設定を実行する契機を検出する。この設定実行の契機とは、入力部１６により設定実行が入力されたこと、あるいは、遠隔操作端末５から設定実行の指示を受けたことである。
設定部１８は、検出部１７が設定実行の契機を検出した場合に、記憶部１５から接続設定情報と、書込み先情報を読み出す。設定部１８は、接続設定情報を、書込み先情報が示す書込み先に書き込むよう指示するコマンドを生成し、無線通信端末３に送信する。
【００２１】
図３は、無線通信端末３の構成を示す機能ブロック図であり、本実施形態と関係する機能ブロックのみを抽出して示してある。同図に示すように、無線通信端末３は、第一インタフェース部３１と、第二インタフェース部３２と、制御部３３と、表示部３４と、入力部３５と、コマンド実行部３６と、設定記憶部３７とを備えて構成される。例えば、無線通信端末３がスマートフォンであれば、さらに、携帯電話網と通信するための第三インタフェース部、受話器及び送話器を制御する音声処理部がさらに付加される。
【００２２】
第一インタフェース部３１は、無線ＬＡＮなどの無線通信方式によりＨＧＷ１と通信する。
第二インタフェース部３２は、ＵＳＢなど、第一インタフェース部３１とは異なる通信方式によりＨＧＷ１と通信する。
制御部３３は、ＣＰＵ（central processing unit）やメモリなどにより構成され、各部を制御する。
表示部３４は、ディスプレイなどの表示装置であり、画面を表示する。
入力部３５は、ボタンやキーなどの入力装置であり、ユーザ操作の入力を受ける。なお、無線通信端末３は、表示部３４及び入力部３５の機能が一つになっているタッチパネルを備えてもよい。
コマンド実行部３６は、ＨＧＷ１から受信したコマンドを実行する。コマンド実行部３６は、ＨＧＷ１から受信したコマンドを実行することにより、接続設定情報を設定記憶部３７に書き込む。
設定記憶部３７は、第一インタフェース部３１がＨＧＷ１との無線通信により使用する接続設定情報を記憶する。設定記憶部３７における接続設定情報の記憶場所は、例えば、パス（ディレクトリ）名により特定される。
【００２３】
図４は、通信システムにおける無線通信端末３への接続設定情報の設定処理を示すシーケンス図である。以下では、ＨＧＷ１の第二インタフェース部１２及び無線通信端末３の第二インタフェース部３２がＵＳＢ接続され、ＨＧＷ１の入力部１６が接続設定ボタンである場合を例に説明する。
【００２４】
ユーザは、ＨＧＷ１と無線通信端末３とをＵＳＢにより接続する（ステップＳ１０５）。続いて、ユーザは、ＨＧＷ１が備える接続設定ボタンを押下する（ステップＳ１１０）。ＨＧＷ１の検出部１７は、接続設定ボタンの押下を検出し、設定部１８に接続設定情報の設定実行を指示する（ステップＳ１１５）。設定部１８は、検出部１７から設定実行の指示を受けると、無線通信端末３がＵＳＢ接続されていると判断した場合に、記憶部１５から接続設定情報及び書込み先情報を読み出す（ステップＳ１２０）。設定部１８は、接続設定情報を、書込み先情報が示す書込み先に書き込むよう指示するコマンドである設定コマンドを生成する（ステップＳ１２５）。設定コマンドには、記憶部１５から読み出した接続設定情報及び書込み先情報が設定される。設定部１８は、生成した設定コマンドを第二インタフェース部１２に出力する。第二インタフェース部１２は、設定部１８から入力された設定コマンドを、ＵＳＢ接続されている無線通信端末３に送信する（ステップＳ１３０）。
【００２５】
無線通信端末３の第二インタフェース部３２は、ＵＳＢ接続されているＨＧＷ１から設定コマンドを受信し、制御部３３に出力する（ステップＳ１３５）。制御部３３は、受信した設定コマンドをコマンド実行部３６に出力し、実行を指示する。コマンド実行部３６は、受信した設定コマンドを実行することにより、設定コマンドに設定されている書込み先が示すパス名に従って、設定コマンドに設定されている接続設定情報を設定記憶部３７に書込む（ステップＳ１４０）。
接続設定情報の書込み後、無線通信端末３の第一インタフェース部３１は、ＨＧＷ１に無線ＬＡＮ接続するときには、設定記憶部３７に記憶されている接続設定情報を用いる。
【００２６】
また、ユーザが遠隔サポートセンターに電話をかけて、無線通信端末３にどのように無線通信の設定を行うかを問い合わせることがある。この場合、オペレータは、ユーザに対して、無線通信端末３をＨＧＷ１にＵＳＢにより接続するよう伝える。ユーザは、オペレータからの指示に従って、ＨＧＷ１と無線通信端末３とをＵＳＢにより接続する。
遠隔操作端末５は、各ユーザのＨＧＷ１のアドレスを記憶しているか、外部のデータベースから取得可能である。ユーザが、電話により、ＵＳＢ接続が完了した旨をオペレータに伝えると、オペレータは、遠隔操作端末５に対し、電話をかけたユーザのＨＧＷ１を選択し、接続設定情報の設定実行を指示する操作を行う。遠隔操作端末５は、選択したＨＧＷ１のアドレスを宛先として、接続設定情報の設定実行指示を送信する。ＨＧＷ１の第三インタフェース部１３は、遠隔操作端末５から受信した設定実行指示を検出部１７に出力する。検出部１７は、設定実行指示の受信を検出し、設定部１８に接続設定情報の設定実行を指示する。これにより、ＨＧＷ１は、ステップＳ１２０〜ステップＳ１３０の処理を行い、無線通信端末３は、ステップＳ１３５〜ステップＳ１４０の処理を行う。
【００２７】
なお、ＵＳＢ接続された無線通信端末３は、自端末の種別や自端末を特定する識別情報をＨＧＷ１に送信する。ＨＧＷ１は、第二インタフェース部１２により無線通信端末３から受信した無線通信端末３の種別や識別情報を記憶しておき、遠隔操作端末５は、ＵＳＢ接続されている無線通信端末３の種別や識別情報をＨＧＷ１から取得して表示してもよい。オペレータは、無線通信端末３の種別や識別情報を確認した上で、接続設定情報の設定実行を指示する操作を行うようにしてもよい。
【００２８】
なお、ステップＳ１３５において、無線通信端末３の制御部３３は、ＨＧＷ１から設定コマンドを受信した場合に、表示部３４に、接続設定情報の書込みを行ってもよいか否かを問合せる画面情報を表示してもよい。制御部３３は、入力部３５により、接続設定情報の書込みを許可する旨が入力された場合に、ステップＳ１４０の処理を行い、ＨＧＷ１から受信した設定コマンドをコマンド実行部３６に出力し、実行を指示する。
【００２９】
また、ステップＳ１３０の後、ＨＧＷ１の設定部１８は、無線ＬＡＮを起動させるための起動コマンドを第二インタフェース部１２に出力してもよい。第二インタフェース部１２は、設定部１８から入力された起動コマンドを、ＵＳＢ接続されている無線通信端末３に送信する。無線通信端末３の第二インタフェース部３２は、ＨＧＷ１から受信した起動コマンドを制御部３３に出力し、制御部３３は、受信した起動コマンドをコマンド実行部３６に出力して実行を指示する。コマンド実行部３６は、ステップＳ１４０の処理の後、起動コマンドを実行することにより、第一インタフェース部３１に無線ＬＡＮ接続の起動を指示する。これにより、第一インタフェース部３１は、設定記憶部３７に記憶されている接続設定情報を用いてＨＧＷ１と無線ＬＡＮにより接続する。
このように、ＨＧＷ１が、無線通信端末３に接続設定情報を書込んだ後、無線通信の起動コマンドを送信することにより、ユーザ操作を必要とせずに、無線通信端末３はＨＧＷ１との無線通信を開始することができる。なお、起動コマンドは、一旦無線通信をＯＦＦにしてから、ＯＮにする再起動コマンドであってもよい。
【００３０】
また、無線通信端末３の制御部３３は、通常はコマンドを受け付けないモードとし、ＨＧＷ１とＵＳＢ接続されたことを検出した場合にコマンド受付モードに遷移してもよい。制御部３３は、コマンド受付モードに遷移した場合に、ＨＧＷ１から受信した設定コマンドをコマンド実行部３６に出力し、実行を指示する。
あるいは、ＨＧＷ１の設定部１８は、設定コマンドの送信前に、コマンド受付モードに遷移するよう指示するモード変更コマンドを、第二インタフェース部１２を介して無線通信端末３に送信してもよい。無線通信端末３の制御部３３は、モード変更コマンドを受信すると、コマンド受付モードに遷移する。
【００３１】
ａｄｂ（Android （登録商標） Debug Bridge）コマンドを利用した場合に、ステップＳ１２０〜ステップＳ１３０においてＨＧＷ１の設定部１８が無線通信端末３に送信するコマンドの例を説明する。
まず、ＨＧＷ１の設定部１８は、端末接続確認のため、第二インタフェース部１２を介して端末接続確認コマンドを無線通信端末３に送信する。端末接続確認コマンドは、「adb devices」のように記述される。無線通信端末３のコマンド実行部３６は、端末接続確認コマンドを受信すると、第二インタフェース部３２を介して自端末のデバイス名を返送する。
【００３２】
ＨＧＷ１の設定部１８は、取得したデバイス名により、接続設定情報の設定対象である無線通信端末３がＵＳＢ接続されていることを認識する。設定部１８は、無線通信端末３に現在設定されている接続設定情報を取得するため、第二インタフェース部１２を介して接続設定情報の取得コマンドを送信する。取得コマンドは、「adb pull <接続設定情報のファイル名（無線通信端末３における接続設定情報のフルパス）>」のように記述される。無線通信端末３のコマンド実行部３６は、設定記憶部３７におけるフルパス（パス名）で指定される保存位置から、ファイル名で指定される接続設定情報を読み出し、第二インタフェース部３２を介してＨＧＷ１に送信する。
【００３３】
ＨＧＷ１の設定部１８は、接続設定情報が設定されていない、あるいは、接続設定情報の設定内容が正しくない場合は、第二インタフェース部１２を介して接続設定情報の設定コマンドを無線通信端末３に送信する。なお、デバイスにより接続設定情報や書込み先情報が異なる場合、取得したデバイス名に応じた接続設定情報や書込み先情報を記憶部１５から読み出して設定コマンドを生成する。設定コマンドは、「adb push <接続設定情報（無線通信端末３におけるフルパス）>」のように記述される。無線通信端末３のコマンド実行部３６は、設定記憶部３７のフルパスで指定される保存位置に、接続設定情報を書き込む。
【００３４】
ＨＧＷ１の設定部１８は、無線通信を再起動するための再起動コマンドを、第二インタフェース部３２を介して無線通信端末３に送信する。再起動コマンドには、「adb shell svc wifi disable」、「adb shell svc wifi enable」の２つのコマンドの組を用いることができる。無線通信端末３のコマンド実行部３６は、再起動コマンドを実行することにより、第一インタフェース部３１に無線ＬＡＮ接続の再起動を指示する。第一インタフェース部３１は、設定記憶部３７に記憶されている接続設定情報を用いてＨＧＷ１と無線ＬＡＮにより接続する。
【００３５】
以上説明した実施形態によれば、ユーザは、スマートフォンなどの無線通信端末３をＨＧＷ１にＵＳＢ接続し、ボタンを押すなどして設定実行を指示するだけで、無線通信端末３に無線ＬＡＮによりＨＧＷ１と通信するために必要な設定を行うことができる。
あるいは、ユーザは、遠隔サポートセンターに電話をかけ、オペレータの案内に従って無線通信端末３をＨＧＷ１にＵＳＢ接続し、接続した旨を伝えるのみで、無線通信端末３に無線ＬＡＮによりＨＧＷ１と通信するために必要な設定を行うことができる。
従って、無線通信端末３をＨＧＷ１に無線通信するための設定を容易に行うことが可能となる。
【００３６】
なお、上記においては、無線通信装置がＨＧＷである場合を例に説明したが、無線通信装置は、アクセスポイント(例えば、ブロードバンドルーター機能付きのアクセスポイント）など、無線通信端末と無線通信する任意の装置であってもよい。
【００３７】
上述したＨＧＷ１及び無線通信端末３の一部の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００３８】
以上、この発明の実施形態について図面を参照して詳述してきたが、具体的な構成はこの実施形態に限られるものではなく、この発明の要旨を逸脱しない範囲の設計等も含まれる。
【符号の説明】
【００３９】
１  ホームゲートウェイ（ＨＧＷ）
２  光ファイバー終端装置（ＯＮＵ）
３  無線通信端末
４  通信網
５  遠隔操作端末
１１  第一インタフェース部
１２  第二インタフェース部
１３  第三インタフェース部
１４  中継部
１５  記憶部
１６  入力部
１７  検出部
１８  設定部
３１  第一インタフェース部
３２  第二インタフェース部
３３  制御部
３４  表示部
３５  入力部
３６  コマンド実行部
３７  設定記憶部
【図１】
0006352838.tif 000002
【図２】
0006352838.tif 000003
【図３】
0006352838.tif 000004
【図４】
0006352838.tif 000005